(57)【特許請求の範囲】
【請求項１】
羽根車が収容されたポンプケーシングを備えたポンプ装置であって、
前記ポンプケーシングの下面側の外周部に周方向に間隔をあけて配設され、前記ポンプ装置を支持する複数の固定脚部と、
前記ポンプケーシングの下面側から下方に張り出すとともに隣接する前記固定脚部の間を周方向に延び、その下端部が該固定脚部の下端よりも上方に位置するスカート部とを備え、
前記ポンプケーシングの吸込通路の吸込口は、前記スカート部の下端部よりも上方に開口していることを特徴とするポンプ装置。
【請求項２】
請求項１において、
前記固定脚部は、前記ポンプケーシングに対して着脱可能に取り付けられ、
前記スカート部には、前記ポンプケーシングと前記固定脚部との間に挟持される挟持部が設けられていることを特徴とするポンプ装置。
【発明の詳細な説明】
【技術分野】
【０００１】
本発明は、ポンプ装置に関するものである。
【背景技術】
【０００２】
従来より、建設現場等における湧水や溜まり水の吸排処理に用いられる汚水汚物吸排用のポンプ装置が知られている（例えば、特許文献１参照）。
【０００３】
特許文献１には、羽根車と、羽根車の外周側に配設された案内羽根とを備え、羽根車が回転したときの遠心力により羽根車の周辺の呼び水を径方向外方に押し出すことで減圧し、吸込口から汚水を吸い込むようにした構成が開示されている。
【０００４】
そして、吸い込まれた汚水は、遠心力により羽根車の側方に押し出されることで、案内羽根の間を通って外ケーシング内に押し出される。この動作が連続的に繰り返されて外ケーシング内が汚水で満たされると、汚水が吐出口から吐出されるようになっている。
【先行技術文献】
【特許文献】
【０００５】
【特許文献１】特開平２−１９９２９５号公報
【発明の概要】
【発明が解決しようとする課題】
【０００６】
ところで、従来のポンプ装置では、吸込口に吸込ホースが接続されており、汚水を吸い上げているときの吸込ホースは、ホース内部に汚水が満たされることで重量が大きくなる。そのため、吸込ホースの重量や巻き癖に起因して、ポンプ装置全体が斜め下方に引っ張られて転倒するおそれがあった。
【０００７】
本発明は、かかる点に鑑みてなされたものであり、その目的は、ポンプケーシングが転倒するのを防止することにある。
【課題を解決するための手段】
【０００８】
本発明は、羽根車が収容されたポンプケーシングを備えたポンプ装置を対象とし、次のような解決手段を講じた。
【０００９】
すなわち、第１の発明は、前記ポンプケーシングの下面側の外周部に周方向に間隔をあけて配設され、前記ポンプ装置を支持する複数の固定脚部と、
前記ポンプケーシングの下面側から下方に張り出すとともに隣接する前記固定脚部の間を周方向に延び、その下端部が該固定脚部の下端よりも上方に位置するスカート部とを備え、
前記ポンプケーシングの吸込通路の吸込口は、前記スカート部の下端部よりも上方に開口していることを特徴とするものである。
【００１０】
第１の発明では、スカート部は、ポンプケーシングの下面側から下方に張り出すとともに隣接する固定脚部の間を周方向に延びている。また、スカート部の下端部は、固定脚部の下端よりも上方に位置している。
【００１１】
このような構成とすれば、複数の固定脚部によって床面に支持されていたポンプケーシングが、汚水を吸い込んだ吸込ホースの重量の増加などに起因して斜め下方に引っ張られて傾いたときに、スカート部の下端部が床面に当接することで、ポンプケーシングが転倒するのを防止することができる。
【００１２】
また、工事現場の金網の上にポンプケーシングを設置して網目に固定脚部が嵌まり込んだり、柔らかい砂地にポンプケーシングを設置して固定脚部が砂に埋まったりした場合でも、スカート部の下端部が金網や砂に当接することで、ポンプケーシングの傾きを抑制することができる。
【００１３】
第２の発明は、第１の発明において、
前記固定脚部は、前記ポンプケーシングに対して着脱可能に取り付けられ、
前記スカート部には、前記ポンプケーシングと前記固定脚部との間に挟持される挟持部が設けられていることを特徴とするものである。
【００１４】
第２の発明では、スカート部の挟持部がポンプケーシングと固定脚部との間に挟持されている。これにより、締結ボルト等を別途用いること無く、固定脚部によって、スカート部をポンプケーシングに対して着脱可能に取り付けることができる。
【発明の効果】
【００１５】
本発明によれば、複数の固定脚部によって床面に支持されていたポンプケーシングが、汚水を吸い込んだ吸込ホースの重量の増加などに起因して斜め下方に引っ張られて傾いたときに、スカート部の下端部が床面に当接することで、ポンプケーシングが転倒するのを防止することができる。
【図面の簡単な説明】
【００１６】
【図１】本実施形態１に係るポンプ装置の構成を示す側面断面図である。
【図２】ポンプ装置の構成を示す側面図である。
【図３】ポンプ装置の構成を示す底面図である。
【図４】ポンプ装置が傾斜したときの状態を示す側面図である。
【図５】本実施形態２に係るポンプ装置の構成を示す側面図である。
【図６】ポンプ装置の構成を示す底面図である。
【発明を実施するための形態】
【００１７】
以下、本発明の実施形態を図面に基づいて説明する。なお、以下の好ましい実施形態の説明は、本質的に例示に過ぎず、本発明、その適用物或いはその用途を制限することを意図するものではない。
【００１８】
《実施形態１》
図１に示すように、ポンプ装置１０は、外ケーシング２０と、外ケーシング２０内に収容された内ケーシング３０とを備えている。外ケーシング２０と内ケーシング３０との間には、周方向に所定の隙間が設けられており、この隙間によって、後述する排出通路５３が形成されている。
【００１９】
外ケーシング２０は、ケーシング本体２１と、ケーシング本体２１の下方に配設されたポンプケーシング２５と、ケーシング本体２１とポンプケーシング２５とを互いに液密状に連結しメカニカルシールを保持するメカニカルシールブラケット２３とを有する。
【００２０】
ケーシング本体２１の上部には、持ち運び用のハンドル１１が取り付けられている。また。ケーシング本体２１の上部からは、電源供給用のケーブル１２が配索されている。
【００２１】
ポンプケーシング２５の下面側の外周部には、周方向に間隔をあけて複数の固定脚部１８が配設されている。固定脚部１８は、制震用のゴム材で構成され、ポンプケーシング２５よりも下方に突出している。固定脚部１８は、固定脚部１８の上部に設けられたネジ部１８ａによって、ポンプケーシング２５に対して着脱可能にネジ止めされている。
【００２２】
内ケーシング３０は、モータ３５が収容されるモータケーシング３１と、モータケーシング３１の上部を覆うヘッドカバー３２とを有する。
【００２３】
モータ３５は、ステータ３６と、ロータ３７と、ロータ３７とともに回転する回転軸３８とを有する。回転軸３８は、上下方向に延びており、回転軸３８はロータ３７の上下を軸受１５によって回転自在に支持されている。回転軸３８の下端部は、内ケーシング３０の底部を貫通してポンプケーシング２５内に突出している。回転軸３８の下端部には、羽根車ナット４３によって、羽根車４０が取り付けられている。
【００２４】
羽根車４０は、円盤状の回転基板４１と、回転基板４１の下面側に周方向に間隔をあけて突設された複数の回転羽根４２とを有する。回転羽根４２は、渦巻き状に形成されている。羽根車４０は、ポンプケーシング２５の底面に対して所定の隙間を存して配設されている。ポンプケーシング２５内には、羽根車４０の外周側に、ガイド羽根４５が配設されている。
【００２５】
ガイド羽根４５は、リング状の固定基板４６と、固定基板４６の下面側に周方向に間隔をあけて突設された複数の固定羽根４７とを有する。固定基板４６及び固定羽根４７は、ウレタン樹脂等の樹脂材料によって一体形成されている。
【００２６】
固定基板４６は、その外周縁部が複数の固定羽根４７の外周位置よりも径方向の外方側に突出している。固定基板４６は、ポンプケーシング２５の上面側に取り付けられている。固定羽根４７は、羽根車４０の渦巻き方向と逆方向となる渦巻き状に形成されている。
【００２７】
ケーシング本体２１の上部には、外ケーシング２０と内ケーシング３０との間の排出通路５３に連通する吐出口１６が設けられている。吐出口１６には、吐出ホース５１が接続されている。一方、ポンプケーシング２５の下面側には、吸込通路２６が設けられている。
【００２８】
吸込通路２６は、ポンプケーシング２５の下面側の中心部から径方向の外方に延びた後、ポンプケーシング２５の外周壁に沿って上方に屈曲して延びる略Ｌ字状の通路で形成されている。
【００２９】
具体的に、ポンプケーシング２５の底面が窪んだ凹部２７と、凹部２７を底面側から覆う底面カバー２８とによって、径方向の外方に延びる通路が形成されている。そして、ポンプケーシング２５の外周部を上下方向に貫通する貫通孔２９によって、上方に屈曲して延びる通路が形成されている。吸込通路２６の上流端には、吸込口１７が設けられている。吸込口１７には、吸込ホース５２が接続されている。
【００３０】
羽根車４０に対向するポンプケーシング２５の中心部には、吸込通路２６とポンプケーシング２５とを連通する開口部２５ａが形成されている。また、ポンプケーシング２５には、吸込通路２６の通路途中に連通する連通孔２５ｂが形成されている。
【００３１】
ところで、ポンプ装置１０を複数の固定脚部１８のみで支持した構成では、ポンプ装置１０が傾いたときにポンプ装置１０全体が倒れてしまうことがある。具体的に、ポンプ装置１０には、吸込口１７に吸込ホース５２が接続されており、汚水を吸い込んだ吸込ホース５２は重量が増加し、ポンプ装置１０全体が斜め下方に引っ張られて傾いてしまう。
【００３２】
そこで、本実施形態では、ポンプ装置１０が傾いた場合に、ポンプ装置１０を支持するためのスカート部５５を設けるようにした。具体的に、図２及び図３に示すように、固定脚部１８は、ポンプケーシング２５の下面側の外周部に周方向に間隔をあけて３つ配設されている。
【００３３】
ポンプケーシング２５の下面側には、ポンプケーシング２５の外周縁に沿って周方向に延びるスカート部５５が設けられている。ポンプケーシング２５とスカート部５５とは、アルミダイキャスト製であって、一体に形成されている。
【００３４】
スカート部５５は、ポンプケーシング２５の下方に張り出すとともに隣接する固定脚部１８の間を周方向に延びている。スカート部５５には、固定脚部１８や底面カバー２８に対応する位置に切欠き部５６が形成されている。スカート部５５の下端部は、固定脚部１８の下端よりも上方に位置している。
【００３５】
これにより、複数の固定脚部１８によって床面に支持されていたポンプ装置１０が、汚水を吸い込んだ吸込ホース５２の重量の増加や巻き癖などに起因して斜め下方に引っ張られて傾いた場合でも、図４に示すように、スカート部５５の下端部が床面に当接することで、ポンプケーシング２５が転倒するのを防止することができる。
【００３６】
さらに、固定脚部１８はゴム材で構成されているので、ポンプ装置１０を硬い床面に設置する場合、ゴム材の固定脚部１８だけが床面に接するため、スカート部５５がアルミダイキャスト製のような硬質材であっても、床面やスカート部５５を傷付けたり不快な音を立てることなく設置することができる。
【００３７】
なお、本実施形態では、スカート部５５における固定脚部１８や底面カバー２８に対応する位置に切欠き部５６を形成するようにしたが、スカート部５５を、周方向の全周にわたって連続するように構成してもよい。
【００３８】
以下、本実施形態に係るポンプ装置１０を用いて、汚水の吸排処理を行う手順について説明する。まず、図１に示すように、外ケーシング２０内に呼び水を水面位置Ｈに相当する位置まで収容する。
【００３９】
次に、モータ３５の駆動により回転軸３８を回転させることで羽根車４０を回転させ、その遠心力によって羽根車４０の周辺部の呼び水が径方向外方、すなわち、側方に押し出されて羽根車４０の中心部が減圧される。この減圧による吸引作用によって吸込ホース５２の先端から汚水が吸込ホース５２内に吸い込まれて、吸込口１７、吸込通路２６を順次通って羽根車４０の周辺部まで吸い込まれる。
【００４０】
さらに、汚水は、遠心力によって羽根車４０の側方へ押し出され、ガイド羽根４５の複数の固定羽根４７の間を通って、外ケーシング２０内の外周部に押し出される。
【００４１】
一方、汚水とともに吸い込まれた空気は、外ケーシング２０と内ケーシング３０との間に形成された排出通路５３を通って上方に案内される。このような動作が繰り返されて、外ケーシング２０内の排出通路５３が汚水で満たされると、吐出口１６から吐出ホース５１を通じて汚水が吐出される。
【００４２】
また、ポンプケーシング２５の底部には、ガイド羽根４５の径方向外方の位置に連通孔２５ｂが形成されているため、ポンプ装置１０の駆動初期においては、吸込通路２６内の呼び水が羽根車４０によって側方に押し出されつつ、吸込ホース５２内の空気や吸込ホース５２を通じて空気が吸込通路２６内に吸引された際、連通孔２５ｂを通じて吸込通路２６内に流入し、空気を巻き込みながら再度、羽根車４０内に吸引されて側方に押し出される。これにより、呼び水を有効利用して空気の吸込性能を大幅に向上させることができる。
【００４３】
《実施形態２》
図５は、本実施形態２に係るポンプ装置の構成を示す側面図である。以下、前記実施形態１と同じ部分については同じ符号を付し、相違点についてのみ説明する。
【００４４】
図５及び図６に示すように、固定脚部１８は、ポンプケーシング２５の下面側の外周部に周方向に間隔をあけて４つ配設されている。固定脚部１８は、固定脚部１８の上部に設けられたネジ部１８ａによって、ポンプケーシング２５に対して着脱可能にネジ止めされている。
【００４５】
ポンプケーシング２５の下面側には、ポンプケーシング２５の外周縁に沿って周方向の全周にわたって連続して延びるスカート部５５が設けられている。スカート部５５の上縁部には、径方向内方に張り出す挟持部５７が一体形成されている。
【００４６】
挟持部５７には、固定脚部１８の取付位置に対応して図示しない貫通孔が形成されている。挟持部５７は、ポンプケーシング２５と固定脚部１８との間に狭持されている。これにより、締結ボルト等を別途用いること無く、固定脚部１８によって、スカート部５５をポンプケーシング２５に対して着脱可能に取り付けることができる。
【産業上の利用可能性】
【００４７】
以上説明したように、本発明は、ポンプケーシングが転倒するのを防止することができるという実用性の高い効果が得られることから、きわめて有用で産業上の利用可能性は高い。
【符号の説明】
【００４８】
１０    ポンプ装置
１８    固定脚部
２５    ポンプケーシング
４０    羽根車
５５    スカート部
５７    挟持部
【図１】
0006739959.tif 000002
【図２】
0006739959.tif 000003
【図３】
0006739959.tif 000004
【図４】
0006739959.tif 000005
【図５】
0006739959.tif 000006
【図６】
0006739959.tif 000007